(57)【要約】【課題】直接貼り付け式の不織布フィルタについて剥離紙の剥離を容易とする。【解決手段】空調服ファンのプラスチックスペーサに貼り付けられる着脱容易な不織布製フィルタである。ファン支持材であるスペーサに直接貼り付ける際、不織布製のフィルタ本体に重ね合わされた剥離紙の剥離容易とする切り込みまたは切れ目を形成した。特にフィルタ本体から突出させた耳状の小突起部に非切断部を介して切断部である切れ目を所定長さに形成した。これにより小凸片（耳）に設けた切り込みから剥離紙の一部を、さらには全体を剥がすことがきわめて容易となっている。【選択図】図１
2019171247.tif 000002
【特許請求の範囲】
【請求項１】
シート状で不織布製のフィルタ本体と、
このフィルタ本体の一面に粘着剤を介して重ね合わされた剥離紙とを備えた不織布製フィルタであって、
このフィルタ本体の外周縁部分に、外周縁からフィルタ本体の中心に向かって延びるとともに、少なくとも上記剥離紙を切断する所定長さの切れ目を形成した不織布製フィルタ。
【請求項２】
上記フィルタ本体の外周縁の一部には、この外周縁から外方に向かって突出した突起部が形成され、この突起部に上記切れ目が形成された請求項１に記載の不織布製フィルタ。
【請求項３】
上記切れ目は上記フィルタ本体または上記突起部の外周縁から所定長さだけ放射内方位置を開始点とし放射内方に向かって所定長さだけ延びている請求項１または請求項２に記載の不織布製フィルタ。
【請求項４】
上記不織布製フィルタは、電動ファンの空気吸入口部分に取り付けられる請求項１〜３のいずれか１項に記載の不織布製フィルタ。
【請求項５】
上記電動ファンは上着に取り付けられた請求項４に記載の不織布製フィルタ。
【発明の詳細な説明】
【技術分野】
【０００１】
この発明は不織布製フィルタ、例えば上着に装着された電動ファンのケースに貼り付けて使用される不織布製フィルタに関する。
【背景技術】
【０００２】
従来より、換気口に貼り付けて使用されるフィルタとしては、例えば特許文献１に記載のものが知られていた。このものは、住宅の壁にある換気口の室内側に、接着剤の付いたフィルタを貼り付けることにより、換気口から侵入してくる外気の汚れや、アレルギーの原因となる花粉を取り除くことができるようにしたシール状のエアフィルタである。汚れを十分吸着したフィルタは、簡単に換気口から剥がすことができる使い捨て型のエアフィルタである。
具体的には、空気清浄機などに用いられるガーゼ状の素材を換気口の形状に合わせて加工し、それを換気口に貼り付けるため弱粘性の接着剤を塗布したものである。エアフィルタに接着剤を塗布したものを住宅の換気口の室内側壁面などに貼り付けて使用する。使用後は剥がして捨てる。
【先行技術文献】
【特許文献】
【０００３】
【特許文献１】実用新案登録第３０６２８１４号公報
【発明の開示】
【発明が解決しようとする課題】
【０００４】
しかしながら、特許文献１のエアフィルタは接着剤をガーゼに塗布し、直接、壁面の換気口に貼り付ける構成のため、剥離紙を有しておらず、保存、運搬などの取り扱いできわめて不便であるという問題を有していた。
また、貼付タイプではなく、袋状に構成したフィルタを換気口枠に被せるフィルタについても知られていたが、これには取付枠が必要であることから使い勝手が悪いという欠点が生じていた。
【０００５】
そこで、発明者は鋭意研究の結果、不織布製のフィルタ本体の裏面に粘着剤を介して剥離紙を重ねるとともに、本体外周縁部に切れ目を設けることにより、切れ目から剥離紙を簡単に剥がしてフィルタ本体を換気口形成材に直接貼り付けることができることを、知見し、この発明を完成させた。
【０００６】
すなわち、この発明は、剥離紙を剥がすだけで直接貼り付けることができるとともに、この剥離紙を不織布フィルタ材から簡単に剥がすことができる不織布製フィルタを提供することを目的としている。
【課題を解決するための手段】
【０００７】
請求項１に記載の発明は、シート状で不織布製のフィルタ本体と、このフィルタ本体の一面に粘着剤を介して重ね合わされた剥離紙とを備えた不織布製フィルタであって、このフィルタ本体の外周縁部分に、外周縁からフィルタ本体の中心に向かって延びるとともに、少なくとも上記剥離紙を切断する所定長さの切れ目を形成した不織布製フィルタである。
【０００８】
不織布製フィルタは、不織布製のフィルタ本体の一面（表面または裏面）に粘着剤を塗布してあり、粘着剤を介して剥離紙（離型紙）が重ね合わされて積層された構成とされている。
不織布製のフィルタ本体はシート状であって、薄い紙のようなもの、また所定面積を有する平面状のものを意味する。この場合の不織布製フィルタ本体は、用途、例えば上着内蔵電動ファンであればそのファンの大きさに合わせた面積・形状とされる。形状は、角形（四角形）でも、丸形（円形）でも用途に対応した形状とする。
ここでの不織布とは、繊維を織らずに絡み合わせたシート状のものをいう。不織布は繊維を熱・機械的または化学的な作用によって接着または絡み合わせることで布にしたものを指す。ここではその製法などは問わない。
剥離紙は、例えばフィルタ本体と同一形状で所定の厚さを有し、フィルタ本体（不織布）の一面に粘着剤を介して重ね合わされて粘着されている。剥離紙としては市販品を用いることができる。
このフィルタ本体の外周縁部分に切れ目を形成してある。例えば、外周縁の一部から突出した突起部に切れ目を形成することもできる。
この切れ目は、外周縁から本体の中心に向かって例えば直線的に延びる所定長さに設定されている。また、切れ目は、剥離紙と本体との積層されたものにおいて、その表面から裏面まで貫通するものとする。フィルタ本体および剥離紙が切断されるものである。この場合、少なくとも剥離紙は切断されている。すなわち、不織布の厚さが大きい場合でも、少なくとも剥離紙には切れ目（切断されている）が形成されている必要がある。
【０００９】
上記切れ目は突起部の外周縁から所定長さだけ放射内方の位置を開始点とし放射内方に向かって所定長さだけ延びているように形成することができる。または、突起部が形成されていない場合はフィルタ本体の外周縁から非切断部分を介して内側位置から放射方向の内方に向かって所定長さ分だけ切断・形成されることもできる。すなわち、突起部がある場合は突起部の外縁からわずかな長さだけは切れ目を入れずに、切れ目なしの余長部分（非切断部分）を有している。これは突起部を有しない場合も同じであり、切れ目が外縁にまで延長されていないことを意味している。
なお、切れ目は直線状または緩やかな曲線状であってもよく、その長さについても任意であるが少なくとも指でつまんで剥離可能な程度の長さを必要とする。
切れ目は、ミシン目で形成することもできる。切れ目はフィルタ本体が真円形の場合は円中心に向って延在する。突起部が半円形であればその円中心に向かうこととなる。
また、切れ目の数は単数に限られない。例えば円形のフィルタ本体としたとき突起部を円周方向において１８０度離間した円周方向の反対側にも設け、それぞれに切れ目を形成してもよい。その切れ目についても例えば突起部に平行して２本の切断線で形成することもできる。
なお、突起部については半円形であっても矩形であってもよい。矩形突起部の場合切れ目は本体の中心に向かって延在させることが好ましい。
【００１０】
上記不織布製フィルタは、例えば電動ファンの空気吸入口部分に取り付けられる。電動ファンのカバーであるケーシングに直接貼り付けることができる。なお、電動ファンだけではなく、エアコンの吸気部分、電動ファンを有しない通気口壁に通気口を覆うように取り付けることもできる。また、パソコンの冷却ファンの空気取り入れ口にセットすることもできる。
さらには、この発明にあっては、エアフィルタだけで無く、例えば水を濾過するフィルタにも適用することができる。例えば排水口フィルタとしての適用を妨げるものではない。
【００１１】
また、上記電動ファンは上着に取り付けられた場合、あるいはヘルメットや帽子に取り付けられた場合も含むこととなる。いわゆる空調服として市販されている作業用上着に内蔵された電動ファンのほこり・花粉などの除去用のフィルタとしても適用することが可能である。
【００１２】
請求項２に記載の発明は、シート状で不織布製のフィルタ本体と、このフィルタ本体の一面に粘着剤を介して重ね合わされた剥離紙とを備えた不織布製フィルタであって、このフィルタ本体の外周縁の一部には、この外周縁から突出した突起部が形成され、この突起部に外周縁から中心に向かって延びるとともに、表面から裏面まで貫通する所定長さの切れ目を形成した不織布製フィルタである。
切れ目は少なくとも突起部に形成され、突起部から延長されて本体に設けられることを妨げるものではない。切れ目は剥離紙の表裏面を少なくとも貫通、すなわち剥離紙を切断するものである。不織布本体についても切断することが好ましいが、剥離紙のみの切断であってもこの発明の外延に含まれるものとする。
【００１３】
請求項３に記載の発明は、上記切れ目は上記フィルタ本体または上記突起部の外周縁から所定長さだけ放射内方位置を開始点とし放射内方に向かって所定長さだけ延びている請求項１または請求項２に記載の不織布製フィルタである。
切れ目については、外周縁からではなく、外周縁に非切断部分を残した外周縁のわずかに内方位置から開始するものである。
フィルタ本体から剥離紙を剥離する手順にあっては、切れ目について剥離紙が手前側にあるようにフィルタ本体を保持し、この切れ目から剥離紙とフィルタ本体とを一体として破り、切れ目を外周縁まで延びるようにする。その結果としてフィルタ本体の外周縁部に十分な長さの切れ目が形成される。さらに、指で切れ目の右側と左側とを異なる方向に、すなわち切れ目の右側を押し、左側を引くように同時に行うことで、フィルタ本体から剥離紙が分離する（一部分が剥がれる）こととなる。一部が剥離した剥離紙をつまんで引きはがすことによりきれいに不織布製のフィルタ本体から剥離紙全体を剥離することができる。
なお、不織布製フィルタの製造は、大面積で例えばロール状に製造した不織布に対してその裏面に粘着剤をスプレーし、スプレー面に剥離紙を重ね合わせ粘着する。そして、一体となった剥離紙および不織布本体を所定の形状にプレスすることで、切り取り製造することとなる。このプレスにおいて突起部および切れ目は同時に形成することができる。すなわち、これまでの製造プロセスからの工程増加などは発生しない。
【００１４】
請求項４に記載の発明は、上記不織布製フィルタは、電動ファンの空気吸入口部分に取り付けられる請求項１〜３のいずれか１項に記載の不織布製フィルタである。
不織布製フィルタを電動ファン（この場合は扇風機を含む概念とする）、例えば各種機器内蔵の小型ファンの空気吸入口部分、また換気扇ファンの室内側、レンジフードの室内側に配置することができる。不織布フィルタ本体については、それらの用途に応じてその目付、大きさ、厚みなどが設計される。
【００１５】
請求項５に記載の発明は、上記電動ファンは上着に取り付けられた請求項４に記載の不織布製フィルタとする。
いわゆる空調服内蔵の電動ファン用フィルタに用いることができる。ほこり、花粉などの除去するために、不織布での除去・ブロック性能を高めることもできる。用途に応じて不織布製のフィルタ本体の設計（通気率など）を行うものとする。
【発明の効果】
【００１６】
請求項１〜５に記載の各発明によれば、シート状の不織布製フィルタ本体と一体に粘着して積層された剥離紙をこの切れ目からきわめて簡単に剥離することができる。その結果、フィルタ本体を容易に例えば空気吸入口部分に粘着（貼り付け）することができる。使い勝手が飛躍的に向上した不織布製フィルタを提供することができる。
特に、上記フィルタ本体の外周縁の一部に突起部を形成し、この突起部に上記切れ目を配設することにより、その剥離紙の剥離作業がさらに簡単になる。
また、上記切れ目は外周縁からはわずかに放射内方位置を開始点として放射内方に向かって延びて形成したため、通常はフィルタ本体から剥離紙が容易に剥がれることがないが、所定の手順での作業により小さな切れ目を大きくすることができ、剥離紙を剥離する際の作業性をさらに高めることができる。
【００１７】
これらの発明によれば、不織布製のフィルタ本体で粘着剤の一面を機器壁面などに容易に粘着することができる。その作業性を高めることができる。また、両面テープやその他の接着剤、取り付けようの磁石、面状フィルタなどを使用する必要がなく、コストダウンに資するものである。また、不織布フィルタ本体の縁部にゴムを配置して被せるような手間も排除することができる。
【図面の簡単な説明】
【００１８】
【図１】この発明の実施例１に係る不織布製フィルタを示す平面図（ａ）および一部側面断面図（ｂ）である。
【図２】この発明の実施例１に係る不織布製フィルタの小突起部を示す拡大図（ａ）および小突起部がない場合の不織布製フィルタの部分図（ｂ）である。
【図３】この発明の実施例１に係る不織布製フィルタの使用例を示す部分図である。
【発明を実施するための形態】
【００１９】
以下、この発明の実施例を、図面を参照して具体的に説明する。
【実施例】
【００２０】
図１〜図３において、１０は不織布製フィルタを示す。この不織布製フィルタ１０は、空調服ファン用のフィルタとして使用される例である。したがって、不織布製フィルタ１０は、その厚さが１．５〜３ｍｍでその直径が１０ｃｍ程度の真円形の不織布製のフィルタ本体１１を有しており、このフィルタ本体１１の裏面にはスプレーされた粘着剤を介して同一大きさ・形状の剥離紙１２が重ね合わされて貼り付けられている。フィルタ本体１１は大略真円形の外周縁の一部に半円形の突起部１３が突出して形成されている。
【００２１】
突起部１３には、その中央部に半径方向に延びる所定長さの切れ目１４が形成されている。切れ目１４は、図２（ａ）に示すように、突起部１３の外周縁から所定長さの余長部分（非切断部分）１５だけ半径方向内方において真円中心に向かって所定長さＣだけ形成されている。この切れ目１４は不織布製のフィルタ本体１１および剥離紙１２をともに切れ込んでフィルタ本体および剥離紙の積層体の表裏面を貫通した形状で形成されている。同図中ａは余長部分（非切断部分）１５の長さを、ｂは半円形の突起部１３での切れ目１４の始点と突起部中心との距離を、ｃは切れ目１４の半径方向に延びる長さを、ｄは突起部１３の横幅をそれぞれ示している。因みに、余長部１５の長さは０．５ｍｍ〜１．０ｍｍが好ましい。切れ目１４の長さｃは５ｍｍ、切れ目１４の始端から突起部１３の中心までの距離ｂも１０ｍｍとしている。突起部１３の半径ｅは１０．５〜１１ｍｍとなる。また、突起部１３の突出した幅（真円から突出した部分の外周長さ）ｄは２０ｍｍ程度とする。
【００２２】
切れ目１４が５ｍｍの長さであるのに対してその切れ目の延長線上にある余長部１５の長さを上記０．５ｍｍ程度としたため、不織布本体１４の当該突起部１３では不織布がすぐに破れるのではなく剥離紙１２から剥がされる形となりその後に余長部１５が破断することとなる。すなわち、剥離紙１２が本体不織布から剥がれやすくなっている。
なお、図２（ｂ）には突起部を形成していない真円形の不織布本体１１に切れ目１４ａを形成した場合を示す。この場合も切れ目１４は半径方向に延びており積層体を上下に切断し、切断していない余長部が切れ目始端と真円の外周縁との間に例えば０．５ｍｍ程度の長さで設けられている。その他の構成は同じとする。
【００２３】
また、ここで使用する不織布本体１４は、ポリエステル・モダアクリル繊維で構成されているが、この他にもロックウール・ガラスなどの無機繊維、綿・麻などの天然繊維、レーヨン・ナイロン・エステル・ビニロン・塩化ビニールなどの合成繊維が使用されることがある。難燃性・不燃性が特に要求されるフィルタとしてはモダアクリル、難燃レーヨン・ビニロン・エステルさらにカーボン繊維が使用される。今回は空調服ファン用フィルタとして使用するため、厚さ方向での弾力性、火気使用場所での使用を考慮し、ポリエステル・モダアクリルの混合繊維を使用した。
不織布製フィルタ本体１１の重量は、２０〜１００ｇ／ｍ２、特に５０ｇ／ｍ２としてある。
さらに、使用する粘着剤としては、空調服ファンの樹脂成型品に対して軽く接着し、かつ脱落がない程度の接着力を有するアクリル酸エステル樹脂製粘着剤を使用した。この場合の樹脂の量は５〜２０ｇ／ｍ２、好ましくは１０ｇ／ｍ２とする。
なお、粘着剤の不織布への付着方法としては、プリント法、含浸法、転写法などがあるが、今回は通気性を確保するためにスプレー法により不織布本体１１の裏面に粘着剤を塗布した。
【００２４】
本不織布製フィルタの製造方法としては、一枚の不織布（例えばロール状不織布）の裏面にスプレー法により粘着剤を被着させる。スプレーとしたのは不織布の通気性を損なわないためである。次いで、同じ広さの所定の剥離紙を粘着剤塗布面に重ね合わせることで不織布シートの裏面全面に剥離紙を積層した（積層体）。さらに、この積層したフィルタ本体／剥離紙をプレス加工により所定形状すなわち、真円形の外周縁の一部に突起を形成した形状で、かつこの突起部１３に所定位置に切れ目１４を形成することとする。
以上の工程を経て本件不織布製フィルタ１０が製造されることとなる。
【００２５】
図３を参照して突起部１３から剥離紙１２を本体不織布１１から剥離する手順について説明する。この図に示すように、突起部１３を右手指でつまんで右側半分を押すと同時に左側半分を左手指で手前に引っ張るものとする。その結果、剥離紙１４が不織布１１から剥がれながら余長部分１５が破れて破断する。
そして、剥がれた部分の剥離紙１４の一部をつまんでフィルタ本体１１である不織布から剥離紙１２全体を順に剥がすこととなる。この操作はきわめて容易となり、誰でも簡単に剥離紙１２を素早くはがすことができる。
剥離紙１２を剥がしたフィルタ本体１１は、空調服のファンを囲う骨状のケース（プラスチック製のスペーサ）にその粘着剤により貼着される。その吸気口部分に簡単に貼り付けることができる。
【００２６】
以上のように、この実施例に係る不織布製フィルタ１０は円形でその外周縁から突出する半円形の突起部１３を有しており、この突起部１３には半径方向に延びる切れ目１４が形成されている。上記突起部１３は約半径１０ｍｍの半円形であって、切れ目１４は周縁部（端部）より切れ目がない（切断されていない）０．５ｍｍ〜１．０ｍｍ程度の余長部１５を残して長さ４〜５ｍｍの切れ目１４を入れたものである。
しかしながら、本体形状、突起（耳）の有無などについては適宜変更可能な範囲であり、本発明にあっては、所定長さの切れ目を半径方向（中心に向かう方向）に形成しておくことで、本体不織布から剥離紙を剥がしやすくしたものである。この目的に適う構成上の変更は適宜とすることができる。切れ目の長さ変更、切れ目の数（２条の平行切れ目とすることなど）、これをミシン目とするなどもこの発明の範囲とする。また、不織布製本体の厚さ切れ目の有無は問わないので、少なくとも切れ目には切り込みが形成され切断されていることが必要となる。
【産業上の利用可能性】
【００２７】
この発明は、例えば電動ファン用不織布製フィルタについての技術として有用である。
【符号の説明】
【００２８】
１０  フィルタ
１１  フィルタ本体、
１２  剥離紙、
１３  突起部、
１４  切れ目、
１５  余長部（非切断部）。
【図１】
2019171247.tif 000003
【図２】
2019171247.tif 000004
【図３】
2019171247.tif 000005